(57)【要約】【課題】本発明は上記問題に鑑み、ノック体の押圧作動のみで、ペン先部を軸筒先端開口部より出没可能な回転カムによる出没機構を具備したノック式筆記具において、回転カムの突起が移動する時に生じる衝撃を緩和することができる、ノック式筆記具を提供する。【解決手段】軸筒内に回転カムを前後に摺動案内し回転させる浅溝と深溝からなるカム溝を形成し、該カム溝に回転カムの突起を係合して配設し、前記軸筒の後端開口部より外方に突出して配設したノック体を押圧して、ノック体で直接又は押圧体を介して前記回転カムを摺動及び回転させ、軸筒内にコイルスプリングにより軸筒後端側に付勢して収納した筆記具用レフィルのペン先部を軸筒先端開口部より出没可能とした回転カムによる出没機構を具備したノック式筆記具において、前記回転カムの突起及び／又はカム溝が弾性体で形成するものである。【選択図】        図１
2008100409.tif 000002
【特許請求の範囲】
【請求項１】
軸筒内に回転カムを前後に摺動案内し回転させる浅溝と深溝からなるカム溝を形成し、該カム溝に回転カムの突起を係合して配設し、前記軸筒の後端開口部より外方に突出して配設したノック体を押圧して、ノック体で直接又は押圧体を介して前記回転カムを摺動及び回転させ、軸筒内にコイルスプリングにより軸筒後端側に付勢して収納した筆記具用レフィルのペン先部を軸筒先端開口部より出没可能とした回転カムによる出没機構を具備したノック式筆記具において、前記回転カムの突起及び／又はカム溝が弾性体で形成してあることを特徴とするノック式筆記具。
【請求項２】
前記深溝に、前記コイルスプリングの付勢力により、前記回転カムの突起が摺接して移動可能な、前記回転カムの突起の幅よりも小さい縮径部を形成したことを特徴とする請求項１に記載のノック式筆記具。
【発明の詳細な説明】
【技術分野】
【０００１】
本発明は、回転カムからなる出没機構を具備したノック式筆記具に関する。
【背景技術】
【０００２】
従来から、ノック体を押圧することにより、ボールペンレフィル等の筆記体のペン先部を軸筒先端開口部より出没させる回転カムによる出没機構を具備したノック式筆記具については、よく知られている。
【０００３】
こうしたノック式筆記具は、ペン先部を出没させるためのノック機構の作動時に衝撃が発生し、酷い場合にはインキ逆流が発生することがあった。こうした問題を鑑みて、ノック機構の作動時の衝撃を吸収するために、特開平８−１６４６９７号公報「ノック式筆記具」や本願出願人も特開２００３−３２６８９０号「ノック式筆記具」にてノック作動時の衝撃を吸収する構造を開示している。
【０００４】
また、回転カムを使用しない出没機構として、実開平５−８２５９０号「ボールペン」にて押圧作動と回転作動によってボールペンチップを軸筒先端開口部より出没させる構造が開示されている。
【特許文献１】「特開平８−１６４６９７号公報」
【特許文献２】「特開２００３−３２６８９０号公報」
【特許文献３】「実開平５−８２５９０号公報」
【発明の開示】
【発明が解決しようとする課題】
【０００５】
ところで、回転カムからなる出没機構とは、例えば、軸筒の内壁面に回転カムを前後に摺動案内し回転させるためのカム溝を形成し、該カム溝に回転カムに形成した突起を係合して配設するとともに、回転カムの後方に、回転カムを摺動し回転を付与するためのカム部を有した押圧体を配設し、該押圧体の後方にノック体を配設する構造のものである。
【０００６】
ペン先部を軸筒先端開口部から出没させるには、コイルスプリングによって軸筒後端側へ付勢して配設したノック体を押圧してノック体に連動した押圧体及び押圧体に連動した回転カムの突起をカム溝に沿って摺動させ、カム部によって回転カムに回転力を与えることによって、突出時には深溝から浅溝へ、没入時は浅溝から深溝へ回転カムの突起を移動させることによって、ペン先部を軸筒先端開口部より出没可能とするものであり、特許文献３に開示されているような複雑な操作を必要とせずにノック体の押圧作動のみで、ペン先部を出没可能とすることができる。
【０００７】
本発明者は、複雑な操作が必要なく、ノック体の押圧作動のみでペン先部を出没可能な回転カムによる出没機構を具備したノック式筆記具のノック作動時における衝撃について、鋭意研究した結果、回転カムによる出没機構を具備したノック式筆記具は、ペン先部が突出した状態から没入する時のみならず、前述した深溝から浅溝に回転カムの突起が移動して静止する時に、回転カムは、押圧体とは連動せず独立して、浅溝の斜面を移動して壁面に当接して静止するため、ノック体の押圧力による緩和が得られず、衝撃が大きいことが解り本発明に到った。
【０００８】
本発明は上記問題に鑑み、ノック体の押圧作動のみで、ペン先部を軸筒先端開口部より出没可能な回転カムによる出没機構を具備したノック式筆記具において、回転カムの突起が移動する時に生じる衝撃を緩和することができる、ノック式筆記具を提供するものである。
【課題を解決するための手段】
【０００９】
前記目的を達成するために本発明では、軸筒内に回転カムを前後に摺動案内し回転させる浅溝と深溝からなるカム溝を形成し、該カム溝に回転カムの突起を係合して配設し、前記軸筒の後端開口部より外方に突出して配設したノック体を押圧して、ノック体で直接又は押圧体を介して前記回転カムを摺動及び回転させ、軸筒内にコイルスプリングにより軸筒後端側に付勢して収納した筆記具用レフィルのペン先部を軸筒先端開口部より出没可能とした回転カムによる出没機構を具備したノック式筆記具において、前記回転カムの突起及び／又はカム溝が弾性体で形成するものである。
【００１０】
また、前記深溝に、前記コイルスプリングの付勢力により、前記回転カムの突起が摺接して移動可能な、前記回転カムの突起の幅よりも小さい縮径部を形成することを特徴とする。
【発明の効果】
【００１１】
本発明の筆記具は前述したような構造なので、本発明は上記問題に鑑み、ノック体の押圧作動のみで、ペン先部を軸筒先端開口部より出没可能な回転カムによる出没機構を具備したノック式筆記具において、回転カムの突起が移動する時に生じる衝撃を緩和することができる、ノック式筆記具を提供することができた。
【発明を実施するための最良の形態】
【００１２】
本発明の実施例を図面を用いて説明する。同じ部材、同じ箇所を示すものは同じ符号を付す。
【００１３】
図１から図４に示す実施例１のノック式筆記具１は、軸筒２の先端部に口先部材３を螺着し、後端部に内鞘４を装着して軸筒本体を構成し、この内鞘４内に、回転カム６を前後に摺動案内し回転させるためのカム溝Ｋを形成してある。回転カム６の表面には熱可塑性エラストマーからなる弾性体を装着して突起７を形成してある。
【００１４】
回転カム６は、突起７をカム溝Ｋに係合し、回転カム６の後方には、回転カム６と連動し、回転カム６に回転力付与するカム部（図示せず）を有するノック体５を、後端部が内鞘４の後端より外方に突出した状態に配設してある。
【００１５】
また、回転カム６の前方には、インキ収容筒８の先端にボールを回転自在に抱持したボールペンチップからなるペン先部９を装着し、内部に筆記具用インキ（図示せず）を直に収容した筆記体をコイルスプリング１０により内鞘４の後端方向へ付勢して、摺動自在に配設してある。また、軸筒２の把持部にはグリップ部材１１を配設し、内鞘４にはクリップ１２を一体に形成してある。
【００１６】
ペン先部９を口先部材３の先端開口部３ａから突出させるには、コイルスプリング１０によって内鞘４後端側へ付勢して配設したノック体５を指等で押圧（矢印Ａ方向）し、ノック体５と連動する回転カム６を口先部材３の先端開口部３ａ方向に前進させる。この時、図５−１、図５−２に示すように、回転カム６の突起７は、カム溝Ｋの深溝ｋ２に沿って前進し、図５−３に示すように、ノック体５のカム部によって回転（矢印Ｂ方向）して、図４に示すように浅溝ｋ１の斜面を移動（矢印Ｃ方向）して壁面ｐに当接して静止し、ペン先部９の突出した状態を維持することができる。
【００１７】
ペン先部９が口先部材３の先端開口部３ａから突出した状態で、ノック体５を押圧すると、図示はしていないが、回転カム６の突起７は、ノック体５のカム部によって回転し、浅溝ｋ１から深溝ｋ２に移動して、コイルスプリング１０の付勢力によって、深溝ｋ２の底部まで達してペン先部９を没入することができる。
【００１８】
回転カム６の突起７を弾性体で形成することによって、回転カム６の突起７が、深溝ｋ２の壁面ｐに当接する時の衝撃を弾性変形によって吸収することができる。
【００１９】
図６に示す実施例２は、深溝ｋ２に回転カム６の突起７の幅よりも小さい縮径部ｋ３を形成した以外は、実施例１と同様にしてノック式筆記具を得ている。
【００２０】
ペン先部９を口先部材３の先端部開口部３ａ内へ没入させるには、図６−１に示すように、ペン先部９が口先部材３から突出した状態で、ノック体５を押圧（矢印Ａ方向）すると、回転カム６の突起７は、図６−２、図６−３に示すように、ノック体５のカム部によって回転（矢印Ｂ方向）し、図６−４に示すように、コイルスプリング１０の付勢力によって、回転カム６の突起７は深溝ｋ２に沿って後退（矢印Ｄ方向）する。この時、深溝ｋ２の縮径部ｋ３では突起７と縮径部ｋ３に摺接しながら底面ｑ方向に移動してペン先部９を没入することができる。
【００２１】
このように、回転カム６の突起７を弾性体で形成しすることによって、深溝ｋ２の縮径部ｋ３に回転カム６の突起７が当接してもノック体５の押圧力又はコイルスプリング１０の付勢力によって、弾性体が弾性変形するので、縮径部ｋ３を摺接して移動することができる。
【００２２】
尚、本実施例では、回転カムの突起に弾性体を装着してあるが、回転カムを弾性体で形成してもよいし、カム溝を弾性体で形成してもよい。尚、弾性体は、シリコーンゴム、ブチルゴム、熱可塑性エラストマー等、適宜選択して用いることが出来る。
【産業上の利用可能性】
【００２３】
本発明のノック式筆記具は、ボールペンやマーカーなど、インキの種類やペン先形状に限定されることなく使用することができるが、ノック作動による衝撃が小さいため、インキ収容筒にインキを直に収容するタイプの筆記具に用いる特に効果的である。
【図面の簡単な説明】
【００２４】
【図１】実施例１のノック式筆記具を示す、縦断面図である。
【図２】図１におけるペン先部が突出した状態を示す図である。
【図３】図１における、一部省略した要部拡大断面図である。
【図４】図１における回転カムの拡大断面図である。
【図５】実施例１の回転カムによる突出時の出没機構を示すカム溝の展開図である。
【図６】実施例２の回転カムによる没入時の出没機構を示すカム溝の展開図である。
【符号の説明】
【００２５】
１  ノック式筆記具
２  軸筒
３  口先部材
３ａ  先端開口部
４  内鞘
５  ノック体
６  回転カム
７  突起
８  インキ収容筒
９  ペン先部
１０  コイルスプリング
Ｋ  カム溝
ｋ１  浅溝
ｋ２  深溝
ｋ３  縮径部
ｐ  浅溝の壁面
ｑ  深溝の底面
【図１】
2008100409.tif 000003
【図２】
2008100409.tif 000004
【図３】
2008100409.tif 000005
【図４】
2008100409.tif 000006
【図５】
2008100409.tif 000007
【図６】
2008100409.tif 000008